(57)【要約】【課題】アンテナマークを有する通信端末に関してユーザが視認しやすくかつ安価にアンテナマークを形成し、ユーザがアンテナ位置を喪失しないようにすることができる通信端末を提供すること。【解決手段】外装カバー（４）と、近距離通信手段（８）と、仕向地及び製品種別毎に定められた承認種別が記載された記載面を有する定格銘板（７０）を備えた通信端末（１００）において、前記定格銘板（７０）には前記近距離通信手段位置（８０ａ）を示す第１のマーク（７０ａ）が記載され、前記外装カバー（４）には前記近距離通信手段位置（８０ａ）を示す第２のマーク（４ａ）が凹形状で形成され、前記記載面に垂直な方向から見て、前記第１のマーク（７０ａ）と第２のマーク（４ａ）は略同位置に重なって配置されるようにしたことを特徴とする。【選択図】図３
2017034318.tif 000002
【特許請求の範囲】
【請求項１】
外装カバー（４）と、
近距離通信手段（８）と、
仕向地及び製品種別毎に定められた承認種別が記載された記載面を有する定格銘板（７０）を備えた通信端末（１００）において、
前記定格銘板（７０）には前記近距離通信手段位置（８０ａ）を示す第１のマーク（７０ａ）が記載され、
前記外装カバー（４）には前記近距離通信手段位置（８０ａ）を示す第２のマーク（４ａ）が凹形状で形成され、
前記記載面に垂直な方向から見て、前記第１のマーク（７０ａ）と第２のマーク（４ａ）は同位置に重なって配置されるようにしたことを特徴とする通信端末（１００）。
【請求項２】
前記定格銘板（７０）は非金属材料で形成されたことを特徴とする請求項１に記載の通信端末（１００）。
【請求項３】
前記外装カバー（４）は非金属材料で形成されたことを特徴とする請求項１又は請求項２に記載の通信端末（１００）。
【発明の詳細な説明】
【技術分野】
【０００１】
本発明は、通信端末に関し、特に近距離無線通信用のアンテナを備える通信端末に関する。
【背景技術】
【０００２】
従来、複数の配線基板を積層してなる積層配線基板では、基板を貫通するスルーホールを設け、このスルーホールを介して異なる層の配線同士を接続している。
【０００３】
また、ＲＦＩＤ（Ｒａｄｉｏ  Ｆｒｅｑｕｅｎｃｙ  Ｉｄｅｎｔｉｆｉｃａｔｉｏｎ）と称される非接触型データ受送信体（非接触型ＩＣカードなど）は、ＩＣチップを搭載した基板にアンテナをパターン形成して作製される。このような非接触型データ受送信体では、例えば、ポリイミドなどをベース基材としたフレキシブル基板上に、通信のためにアンテナパターンを複数巻き回してループ状あるいはスパイラル状に形成するのが一般的である。アンテナパターンの形成においては、パターン上に設けられたスルーホールを経由して、複数の配線層にわたりループ形状を形成することにより巻き数を確保することが知られている。
【０００４】
前述した構成はＮＦＣ等の近距離無線通信技術として採用されている。近距離無線通信技術は１０ｍｍ程度の近距離で行うものがあり、通信の際にユーザは送受信機器それぞれのアンテナ位置が近付くよう送受信機器を設置する必要がある。そのためアンテナ位置をユーザがわかるようアンテナマークをアンテナ付近の外装カバー上に設けたり、特許文献１のようにアンテナ位置を液晶パネル等の表示ユニットで表示する手法が提案されている。
【先行技術文献】
【特許文献】
【０００５】
【特許文献１】特許第５５８５１２４号公報
【発明の概要】
【発明が解決しようとする課題】
【０００６】
ところで、アンテナマークは一般的に外装カバーに印刷あるいは凹形状で形成される。外装カバーに印刷をするとコストアップになってしまうし、凹形状は同一外装カバーに同色で形成される為にユーザが視認しにくかった。特許文献１のようにアンテナマークを表示部で表示する手法も有効ではある。
【０００７】
しかしながら、表示部に略平行な面にアンテナが配置されない場合は表示部を使用してユーザにアンテナ位置を指示することが困難になる。そこでアンテナ直近にアンテナマークを形成することが望ましいが通信端末のさらなる小型化が進む中、外装カバーにアンテナマーク自体を形成することがますます困難となってきている。
【０００８】
本発明の目的は、アンテナマークを有する通信端末に関してユーザが視認しやすくかつ安価にアンテナマークを形成し、ユーザがアンテナ位置を認識できなくなることのないようにすることができる通信端末を提供することにある。
【課題を解決するための手段】
【０００９】
上記の目的を達成するために、本発明に係る通信端末は、
外装カバー（４）と、
近距離通信手段（８）と、
仕向地及び製品種別毎に定められた承認種別が記載された記載面を有する定格銘板（７０）を備えた通信端末（１００）において、
前記定格銘板（７０）には前記近距離通信手段位置（８０ａ）を示す第１のマーク（７０ａ）が記載され、
前記外装カバー（４）には前記近距離通信手段位置（８０ａ）を示す第２のマーク（４ａ）が凹形状で形成され、
前記記載面に垂直な方向から見て、前記第１のマーク（７０ａ）と第２のマーク（４ａ）は略同位置に重なって配置されるようにしたことを特徴とする。
【発明の効果】
【００１０】
本発明に係る通信端末によれば、第１のアンテナマークは定格銘板内に印刷されている。もともと定格銘板は仕向地及び製品種別毎に定められた承認種別を記載する為に印刷している。したがってアンテナマークを承認種別と同様に印刷すればコストアップを防ぐことができるし、印刷することによってコントラストが高いアンテナマークを形成できるため、視認性が良い。さらに定格銘板は非金属部材を使用している為に通信に必要な磁束を遮蔽することもない。
【００１１】
また、外装カバー側にも第２のアンテナマークを設けたので、通信端末組み立て途中で定格銘板を貼り付けていない状態においても組み立て作業者は正確にアンテナマーク位置を把握することができ、定格銘板が無くても近距離無線通信の動作確認を速やかに行うことができるし、ユーザが定格銘板を剥がれた状態で使用している状態でもユーザはアンテナマーク位置を正確に把握することができる。また従来から有る定格銘板スペースをアンテナマーク記載に使用する為、アンテナマーク記載スペースを独自に設ける必要がなくなった。
【図面の簡単な説明】
【００１２】
【図１】（ａ）は本発明の実施形態である近距離通信手段であるアンテナモジュールの斜視図、（ｂ）は図１（ａ）の分解斜視図
【図２】（ａ）は本発明の実施形態のデジタルカメラの斜視図、（ｂ）は本発明の実施形態のデジタルカメラの背面斜視図
【図３】本発明の実施形態であるデジタルカメラの分解斜視図
【発明を実施するための形態】
【００１３】
以下、本発明を実施するための形態を図面に基づいて説明する。
【実施例１】
【００１４】
本実施例では通信端末の一例としてデジタルカメラを挙げて説明する。図１（ａ）は本発明の実施形態である近距離通信手段であるアンテナモジュール８の斜視図であり、図１（ｂ）は図１（ａ）の分解斜視図である。
【００１５】
アンテナモジュール８はアンテナフレキシブル基板８０上に導体で配線されたアンテナパターン８０ｄ、通信制御ＩＣ８０ｃ、磁性シート９０で構成される。通信制御ＩＣ８０ｃはアンテナパターン８０ｄと電気的に接続されていて外部機器（図示なし）との通信を制御している。磁性シート９０はアンテナパターン８０ｄが配線されたアンテナフレキシブル基板８０上に貼り付けされている。上記構成をとることでアンテナパターン８０ｄで通信に必要な磁気を発生させ、デジタルカメラ外部へ放射することができる。
【００１６】
図２（ａ）は本発明の実施形態のデジタルカメラの斜視図である。
【００１７】
デジタルカメラ本体１００は、正面に沈胴式のレンズ鏡筒１０１を備え、上面部には、デジタルカメラ１００の電源をＯＮ／ＯＦＦするための電源ボタン１０２や操作ボタン１０３や撮影開始を指示するためのレリーズボタン１０４といった操作部材が設けられている。
【００１８】
図２（ｂ）は本発明の実施形態のデジタルカメラの背面斜視図である。
【００１９】
デジタルカメラ本体１００は、背面に表示ユニット３を備えている。本実施例では表示ユニット３は液晶パネルユニットを適用しているが、有機ＥＬ等の他表示ユニットを使用してもよい。以後は液晶パネルユニットを例に挙げて説明する。また背面には種々の操作のために背面ボタン４６が設けられている。そしてデジタルカメラ底面には仕向地及び製品種別毎に定められた承認種別が記載された定格銘板７０が設けられている。また、デジタルカメラ本体１００には外装部材として、背面カバーユニット４および側面カバー５を備えている。
【００２０】
図３は本発明の実施形態であるデジタルカメラ１００の分解斜視図である。
【００２１】
デジタルカメラ本体１１０、背面カバー４、側面カバー５、端子カバー７、アンテナモジュール８、定格銘板７０が設けられている。背面カバー４には液晶パネルフレキシブル基板３１と背面操作フレキシブル基板４２を備えていて、デジタルカメラ本体１１０側には第１の中継フレキシブル基板コネクタ２１と第２の中継フレキシブル基板コネクタ２２が配置されている。
【００２２】
まず背面カバー４をデジタルカメラ本体１１０に組み込んだ後、液晶パネルフレキシブル基板３１と背面操作フレキシブル基板４２をそれぞれ第１の中継フレキシブル基板コネクタ２１と第２の中継フレキシブル基板コネクタ２２に挿入保持することで、デジタルカメラ本体１１０と背面カバー４とが電気的に接続する。その後、側面カバー５および端子カバー７を組み込んで側面カバービス２００および底面ビス２０１を締結する。そして最後に定格銘板７０を貼り付けてデジタルカメラ１００は組み立てられる。
【００２３】
アンテナモジュール８の近傍の外装カバーである背面カバー４は通信を可能にするためにアンテナモジュール８から放射される磁気を遮蔽しないようポリカーボネート等の非金属材料で形成されている。同様の理由で定格銘板７０も非金属材料で形成されている。
【００２４】
定格銘板７０には仕向地及び製品種別毎に定められた承認種別や第１のアンテナマーク７０ａが記載されている。第１のアンテナマーク７０ａはアンテナパターン８０ｄが形成されている面に垂直な方向から見てアンテナパターン中心８０ａと略一致するよう形成されている。第１のアンテナマーク７０ａは定格銘板７０に印刷することで形成されるため、たとえば白黒といった明暗のはっきりしたマークを形成できる。
【００２５】
定格銘板７０と同様に背面カバー４にはアンテナマーク４ａが凹形状で形成されている。アンテナマーク４ａはアンテナパターン８０ｄが形成されている面に垂直な方向から見てアンテナパターン中心８０ａと略一致するよう形成されている。
【００２６】
前述した構成をとることでユーザが視認しやすくかつ安価にアンテナマークを形成し、ユーザがアンテナ位置を認識できなくなることのないようにすることができる通信端末を提供することができる。また、本発明はこれらの実施形態に限定されず、その要旨の範囲内で種々の変形及び変更が可能である。
【符号の説明】
【００２７】
４  外装カバー、８  近距離通信手段、７０  定格銘板、１００  通信端末、
８０ａ  近距離通信手段位置、７０ａ  第１のマーク、４ａ  第２のマーク
【図１】
2017034318.tif 000003
【図２】
2017034318.tif 000004
【図３】
2017034318.tif 000005